(57)【要約】      （修正有）【課題】光ディスクドライブ装置のトレイ用スイッチを提供する。【解決手段】トレイ前面に装着される基板１０上に、イジェクトボタンの押下時に弾性変形し、押圧解除されることにより弾性復帰するダイヤフラム２１と、ダイヤフラムの弾性変形時に導通するグランド電極３１，３２及びダイヤフラム電極３３と、両電極の導通時に通電してディスクトレイのロックを解除するソレノイドに接続されるソレノイド電極３４，３５と、ディスクトレイのロック時に通電して光ディスクのピックアップ状態を表示するＬＥＤ６０に接続されるＬＥＤ電極３６，３７と、グランド電極３２に接続されたグランド端子４１、ダイヤフラム電極に接続されたダイヤフラム用端子４２、ソレノイド電極３５に接続されたソレノイド用端子４３、及びＬＥＤ電極３７に接続されたＬＥＤ用端子４４を内蔵し、これらの端子群４０にフレキシブルプリント配線基板を接続するコネクタ７０を設けた。【選択図】図５
2012146372.tif 000002
【特許請求の範囲】
【請求項１】
光ディスクドライブ装置に内蔵されるディスクトレイ用のスイッチであって、
前記ディスクトレイのトレイ前面に装着される基板と、
前記基板上に設けられ、前記ディスクトレイを開くイジェクトボタンの押下時に押圧されて弾性変形し、押圧解除されることにより弾性復帰するダイヤフラムと、
前記基板上に設けられ、前記ダイヤフラムの弾性変形時に当該ダイヤフラムを介して導通するグランド電極及びダイヤフラム電極と、
前記基板上に設けられ、前記グランド電極と前記ダイヤフラム電極の導通時に通電し前記ディスクトレイのロックを解除するソレノイドに接続されるソレノイド電極と、
前記基板上に設けられ、前記ディスクトレイのロック時に通電し当該ディスクトレイにセットした光ディスクのピックアップ状態を表示するＬＥＤに接続されるＬＥＤ電極と、
前記基板上に設けられ、前記グランド電極に接続されたグランド端子、前記ダイヤフラム電極に接続されたダイヤフラム用端子、前記ソレノイド電極に接続されたソレノイド用端子、及び前記ＬＥＤ電極に接続されたＬＥＤ用端子を内蔵し、これらの端子群にフレキシブルプリント配線基板を接続するコネクタと、
を備えたことを特徴とするディスクトレイ用スイッチ。
【請求項２】
前記基板上に更にレバースイッチが設けられており、
当該レバースイッチは、
前記ディスクトレイの閉時に前記光ディスクドライブ装置の本体により押圧されて回転するレバーと、
前記レバーの回転時に押圧されて弾性変形し、押圧解除されることにより弾性復帰する接点ばね片と、
前記接点ばね片の弾性変形時に当該接点ばね片を介して導通する共通電極及び個別電極と、からなり、
前記共通電極が前記グランド端子に接続され、前記個別電極に接続されたレバースイッチ用端子が前記コネクタに内蔵されている
ことを特徴とする請求項１に記載のディスクトレイ用スイッチ。
【発明の詳細な説明】
【技術分野】
【０００１】
本発明は、光ディスクドライブ装置のディスクトレイに設置されるスイッチに関する。
【背景技術】
【０００２】
一般に、パーソナルコンピュータや光ディスクプレイヤー等の電子機器には、例えばＣＤ（Compact Disc）、ＤＶＤ（Digital Versatile Disc）、ＢＤ（Blu-ray Disc）等の光ディスクの再生や記録を行う光ディスクドライブ装置が搭載されている。この光ディスクドライブ装置には、光ディスクをセットするディスクトレイが内蔵されており、このディスクトレイには更に、イジェクトボタンの押下を検知するスイッチや、光ディスクのピックアップ状態を表示するチップＬＥＤ等の部品が設置されている（例えば下記の特許文献１を参照）。
【先行技術文献】
【特許文献】
【０００３】
【特許文献１】特開２００７−３１０９２４号公報（段落００１０欄、図２など）
【発明の概要】
【発明が解決しようとする課題】
【０００４】
ところで、従来、ディスクトレイに部品を設置する作業は、次のようにして行われていた。まず基板に設けられたコネクタにフレキシブルプリント配線基板（以下「フレキシブル基板」ともいう。）の一端を連結し、基板とフレキシブル基板を電気的に接続する。次に、フレキシブル基板の他端をスイッチやチップＬＥＤ等の部品の電極に半田付けし、フレキシブル基板と部品を電気的に接続する。さらに、基板に他の部品を取り付ける場合には、部品用端子を設け、この部品用端子と部品を接続する作業も必要となる。
【０００５】
このように、ディスクトレイに部品を設置する作業においては、その作業工数が多く作業内容も複雑であるため、光ディスクドライブ装置全体の製造コストの増加を招くという問題があった。そこで、本発明はこのような問題を解決するためになされたものであり、その目的とするところは、光ディスクドライブ装置において、ディスクトレイに各種の部品を取り付ける際に、作業工数を削減して作業効率の向上を図り、装置全体の製造コストの低減に寄与することにある。
【課題を解決するための手段】
【０００６】
前記の目的を達成するため、本発明では、ディスクトレイに実装される各種の部品について、その電極を基板上に予め接点パターンとして配置し、電極に繋がる部品用端子をコネクタに内蔵する構造を採用した。
【０００７】
すなわち、本発明は、光ディスクドライブ装置に内蔵されるディスクトレイ用のスイッチであって、前記ディスクトレイのトレイ前面に装着される基板と、前記基板上に設けられ、前記ディスクトレイを開くイジェクトボタンの押下時に押圧されて弾性変形し、押圧解除されることにより弾性復帰するダイヤフラムと、前記基板上に設けられ、前記ダイヤフラムの弾性変形時に当該ダイヤフラムを介して導通するグランド電極及びダイヤフラム電極と、前記基板上に設けられ、前記グランド電極と前記ダイヤフラム電極の導通時に通電し前記ディスクトレイのロックを解除するソレノイドに接続されるソレノイド電極と、前記基板上に設けられ、前記ディスクトレイのロック時に通電し当該ディスクトレイにセットした光ディスクのピックアップ状態を表示するＬＥＤに接続されるＬＥＤ電極と、前記基板上に設けられ、前記グランド電極に接続されたグランド端子、前記ダイヤフラム電極に接続されたダイヤフラム用端子、前記ソレノイド電極に接続されたソレノイド用端子、及び前記ＬＥＤ電極に接続されたＬＥＤ用端子を内蔵し、これらの端子群にフレキシブルプリント配線基板を接続するコネクタと、を備えたことを特徴とするものである。
【０００８】
また、本発明は、前記の構造からなるディスクトレイ用スイッチにおいて、前記基板上に更にレバースイッチが設けられており、当該レバースイッチは、前記ディスクトレイの閉時に前記光ディスクドライブ装置の本体により押圧されて回転するレバーと、前記レバーの回転時に押圧されて弾性変形し、押圧解除されることにより弾性復帰する接点ばね片と、前記接点ばね片の弾性変形時に当該接点ばね片を介して導通する共通電極及び個別電極と、からなり、前記共通電極が前記グランド端子に接続され、前記個別電極に接続されたレバースイッチ用端子が前記コネクタに内蔵されている構造を採用しても良い。
【発明の効果】
【０００９】
本発明によれば、ディスクトレイに実装される部品の電極が基板上に予め接点パターンとして配置されており、電極に繋がる端子群がコネクタに内蔵されているため、基板をディスクトレイに装着し、コネクタにフレキシブルプリント配線基板を差し込むだけで部品との電気的な配線が可能になる。したがって、従来行われていた設置作業に比べ、作業工数が削減され、作業効率が大幅に向上するので、機器全体の製造コストを低減することができる。
【図面の簡単な説明】
【００１０】
【図１】光ディスクドライブ装置と本発明に係るディスクトレイ用スイッチとの位置関係を示す全体図。
【図２】第１実施形態のディスクトレイ用スイッチの外観を示す平面図。
【図３】図２のディスクトレイ用スイッチのカバーを取り外した状態を示す平面図。
【図４】図２のディスクトレイ用スイッチの内部構造を示す部分断面図。
【図５】図２のディスクトレイ用スイッチの接点パターンの構造を示す平面図。
【図６】第２実施形態のディスクトレイ用スイッチの内部構造を示す部分断面図。
【図７】図６のディスクトレイ用スイッチのカバーを取り外した状態を示す平面図。
【図８】図６のディスクトレイ用スイッチの接点パターンの構造を示す平面図。
【図９】図６のディスクトレイ用スイッチにおけるレバースイッチの動作説明図。
【図１０】接点パターンの他の構成例を示す平面図。
【発明を実施するための形態】
【００１１】
以下、本発明の実施形態について、願書に添付した図面を参照しながら説明する。
【００１２】
［第１実施形態］
図１は光ディスクドライブ装置Ｄの全体構造を示すものであり、１は本体、２は本体に出し入れ自在に設置されたディスクトレイ、３はディスクトレイに取り付けられるフロントベゼル、４はディスクトレイを開く時に押すイジェクトボタン、５はディスクトレイにセットされた光ディスクのピックアップ状態を表示するＬＥＤ表示窓、６は緊急取り出し時に押すイジェクト孔である。本実施形態のディスクトレイ用スイッチＳＷ１は、フロントベゼル３の裏側のディスクトレイ２に装着されるもので、基板１０の上に各種の部品が予め実装されている。
【００１３】
基板１０は、絶縁性を有する樹脂材料からなり、ディスクトレイ２のトレイ前面２ａに形成された嵌合溝７に差し込むことにより着脱可能に装着される。
【００１４】
図２に拡大して示すように、基板１０の表面には押しボタン式のプッシュスイッチ２０が設けられている。このプッシュスイッチ２０は、イジェクトボタン４の押下を検知するスイッチで、図３のように導電性を有する金属板からなるダイヤフラム２１を備えて構成されている。ダイヤフラム２１は、弾性変形する中央の可動接点部２１ａと、可動接点部２１ａを支える周縁の固定接点部２１ｂとからなる円形ドーム状をしており、基板１０に形成された凹部１１内に収容される。また、図４に示すように、凹部１１の上面開口部は樹脂製のフィルム２２で覆われており、フィルム２２の上にカバー２３をかぶせて密閉することにより、凹部１１内に塵や水滴等が入り込まないように防塵・防水処理が施されている。
【００１５】
図５に示すように、基板１０の裏面には導電性を有する接点パターン３０が設けられている。接点パターン３０は、所定パターンに打ち抜き加工した金属板を基板１０の成形時にインサート成形して固定し、不要部分をカット加工することにより成形される。
【００１６】
接点パターン３０のうち、ダイヤフラム２１に対応する位置には、固定接点部２１ｂに対向して一対のグランド電極３１，３２が配置され、可動接点部２１ａに対向してダイヤフラム電極３３が配置されている。グランド電極３１，３２を見ると、上側の電極３１は基板１０の上縁部に沿って延び、下側の電極３２は基板１０の下縁部に沿って延びており、両者は基板１０の右側で繋がっている。また、下側のグランド電極３２の先端は、基板１０の左側で直角に曲がってグランド端子４１になっている。これに対して、ダイヤフラム電極３３は下側のグランド電極３２に沿って延びており、その先端がグランド端子４１の内側で直角に曲がってダイヤフラム用端子４２になっている。なお、無負荷時において、ダイヤフラム２１の固定接点部２１ｂとグランド電極３１，３２は接触しているが、可動接点部２１ａとダイヤフラム電極３３は離れている。
【００１７】
接点パターン３０のうち、基板１０の中央位置には、一対のソレノイド電極３４，３５が設けられている。一方のソレノイド電極３４は、グランド電極３２とグランド端子４１を繋ぐ途中に配置され、他方のソレノイド電極３５は、ダイヤフラム電極３３に沿って延びており、その先端がダイヤフラム用端子４２の内側で直角に曲がってソレノイド用端子４３になっている。ソレノイド電極３４，３５には、電磁石を有するソレノイド５０が電気的に接続される。
【００１８】
接点パターン３０のうち、基板１０の上方位置には、一対のＬＥＤ電極３６，３７が設けられている。一方のＬＥＤ電極３６は、上側のグランド電極３１に繋がっており、他方のＬＥＤ電極３７は、ソレノイド電極３５に沿って延びており、その先端がソレノイド用端子４３の内側で直角に曲がってＬＥＤ用端子４４になっている。なお、基板１０の表面にはチップＬＥＤ６０が取り付けられており、チップＬＥＤ６０とＬＥＤ電極３６，３７が半田付けにより予め電気的に接続されている。
【００１９】
接点パターン３０は以上のように構成されており、基板１０の裏面には、この接点パターン３０に対して、グランド端子４１、ダイヤフラム用端子４２、ソレノイド用端子４３及びＬＥＤ用端子４４からなる端子群４０に、フレキシブル基板を連結するコネクタ７０が設けられている。コネクタ７０は絶縁性を有する樹脂材料からなり、図４のように、これらの端子群４０を覆う中空状のコネクタカバー７１を備え、コネクタカバー７１の側面にフレキシブル基板を挿入する挿入口７２が形成されている。なお、コネクタ７０に内蔵された端子群４０の先端は、それぞれＵ字形に折り曲げたばね状接点部になっている。
【００２０】
本実施形態のディスクトレイ用スイッチＳＷ１は以上のように構成されており、図１に示したように、基板１０の表面をフロントベゼル３側に向けてトレイ前面２ａの嵌合溝７に差し込み固定する。これにより、ディスクトレイ用スイッチＳＷ１がディスクトレイ２に装着され、基板１０上のプッシュスイッチ２０がイジェクトボタン４に対向して配置され、チップＬＥＤ６０がＬＥＤ表示窓５内に配置される。また、コネクタ７０の挿入口７２にフレキシブル基板を差し込むと、フレキシブル基板の端子が前記の端子群４０に接続される。このとき、コネクタ７０の内部にあるＵ字形のばね状接点部が弾力で撓み変形して接触するので、フレキシブル基板の端子に対して所定の接触圧が得られ、フレキシブル基板の脱落を防ぎ、接点同士の接続を確実に行うことができる。
【００２１】
このように、本実施形態のディスクトレイ用スイッチＳＷ１によれば、ディスクトレイ２に実装される部品の電極が基板１０上に予め接点パターン３０として配置されており、電極に繋がる端子群４０がコネクタ７０に内蔵されている。このため、基板１０をディスクトレイ２に装着した後、コネクタ７０にフレキシブル基板を差し込むだけで部品との配線が可能になる。したがって、従来行われていた設置作業に比べ、作業工数が削減され、作業効率が大幅に向上するので、機器全体の製造コストを低減することができる。以上のようにしてディスクトレイ用スイッチＳＷ１による部品の取り付けが完了すると、このスイッチは光ディスクドライブ装置Ｄにおいて以下のように機能する。
【００２２】
図１において、光ディスクの再生や記録を行う場合、イジェクトボタン４を押してディスクトレイ２を開ける。イジェクトボタン４を押すと、その押圧力が作用して、図４に示すプッシュスイッチ２０のダイヤフラム２１が押し込まれ、可動接点部２１ａがその弾力によって下方に撓み変形する。このとき、可動接点部２１ａが図５に示すダイヤフラム電極３３に接触し、ダイヤフラム電極３３とグランド電極３１，３２がダイヤフラム２１を介して接続されて導通する。これによりダイヤフラム用端子４２からグランド端子４１に通電し、スイッチＯＮの信号が出力される。なお、イジェクトボタン４から指を離して押圧力が解除されると、ダイヤフラム２１が弾力により復元し、可動接点部２１ａがダイヤフラム電極３３から離れ、ダイヤフラム用端子４２とグランド端子４１との間の通電が遮断される。
【００２３】
また、光ディスクドライブ装置Ｄの内部には周知のイジェクトロック機構（図示略）が設けられており、ディスクトレイ２の閉時にはロックレバーがピンに係合してディスクトレイ２が本体１にロックされている。ここで、前記のとおりイジェクトボタン４が押されてスイッチＯＮの信号が出力されると、ソレノイド用端子４３とグランド端子４１が接続され、一対のソレノイド電極３４，３５間が導通してソレノイド５０の電磁石に通電される。これによりソレノイド５０が駆動し、ロックレバーがピンから外れてロックが解除され、スプリングで押されたディスクトレイ２が本体１から一部分だけ飛び出して開く。
【００２４】
そして、図１のように、開いたディスクトレイ２のターンテーブル８に光ディスクを載せてセットし、ディスクトレイ２を閉じると、イジェクトロック機構により再びロックレバーがピンに係合してディスクトレイ２が本体１にロックされる。すると、ディスクトレイ２にセットされた光ディスクがスピンドルモータによって回転し、光ピックアップ９から照射されたレーザ光によって光ディスクの再生又は記録が行われる。このとき、ＬＥＤ用端子４４とグランド端子４１は接続されており、一対のＬＥＤ電極３６，３７間が導通してチップＬＥＤ６０に通電される。これによりチップＬＥＤ６０が点灯し、ＬＥＤ表示窓５から光ディスクのピックアップ状態（再生中であれば点灯、記録中であれば点滅）を表示する。
【００２５】
［第２実施形態］
光ディスクドライブ装置Ｄには、一般に、ディスクトレイ２の開閉状態を検知する、いわゆるトレイ開閉検知用のスイッチが設けられている。この種のスイッチは、通常、光ディスクドライブ装置Ｄの本体１に設置された回路基板に実装されており、ディスクトレイ２の閉時にトレイ後面２ｂに衝突して押圧され、開時に押圧解除されることによってディスクトレイ２の開閉状態を検知するようになっている。しかし、本来この回路基板には、スピンドルモータや光ピックアップ９等の電子部品を制御するための電子回路が設けられているため、ここに機械的なスイッチを実装すると電子回路を配置するスペースが狭くなってしまう。また、回路基板上にスイッチの形状に合わせた設置面を予め確保しておく必要があることから、電子回路のレイアウトの自由度を妨げる要因にもなっていた。
【００２６】
そこで本実施形態では、従来電子部品用の回路基板に実装していたトレイ開閉検知用のスイッチを、ディスクトレイ２を開閉する機械部品用の基板１０に一体化してトレイ前面２ａに設置する構造を採用した。図６に示すように、このディスクトレイ用スイッチＳＷ２は、第１実施形態の構造に加え、基板１０上に更にトレイ開閉検知用のレバースイッチ８０を設けたものである。本実施形態では、トレイ開閉検知用のスイッチとして、図７のように同型のレバースイッチ８０を積み重ねてなる２連式のスイッチを採用している。
【００２７】
レバースイッチ８０は、それぞれ１組のレバー８１と接点ばね片８２を備えて構成されている。レバー８１は絶縁性を有する樹脂材料からなり、扇形の操作部８１ａと、接点ばね片８２を挟持するホルダ部８１ｂと、基板１０に一体化されたベース１２に回転可能に支持される軸部８１ｃとを有している。接点ばね片８２は導電性を有する金属片を断面Ｕ字形に折り曲げてなり、Ｕ字部分を内側に圧縮した状態で一端がホルダ部８１ｂに固定されている。また、接点ばね片８２の他端は二股に分岐しており、長さの異なる長片接点部８２ａと短片接点部８２ｂが設けられている。
【００２８】
本実施形態では、図８のように、接点パターン３０の形状も第１実施形態のものと異なっている。本実施形態の接点パターン３０のうち、レバースイッチ８０に対応する位置には、長片接点部８２ａに対向して共通電極３８が配置され、短片接点部８２ｂに対向して個別電極３９が配置されている。２つのレバースイッチ８０について、各々の共通電極３８，３８は上側のグランド電極３１に接続され、グランド端子４１に繋がっている。また、各々の個別電極３９，３９は独立して延びていて、その先端がソレノイド用端子４３とＬＥＤ用端子４４の間で直角に曲がってレバースイッチ用端子４５，４６になっている。レバースイッチ用端子４５，４６もまたコネクタ７０に内蔵され、その他の端子群４０（グランド端子４１、ダイヤフラム用端子４２、ソレノイド用端子４３、及びＬＥＤ用端子４４）と並んで配置される。なお、無負荷時において、長片接点部８２ａと共通電極３８は接触しているが、短片接点部８２ｂと個別電極３９は離れている。
【００２９】
本実施形態のディスクトレイ用スイッチＳＷ２は以上のように構成されており、ディスクトレイ２を閉じると、図９に示すように操作部８１ａが光ディスクドライブ装置Ｄの本体１に衝突して押圧され、レバー８１が軸部８１ｃを支点に回転動作する。このとき、ホルダ部８１ｂにより接点ばね片８２が圧縮されて撓み変形し、短片接点部８２ｂが個別電極３９に接触し、個別電極３９と共通電極３８が接点ばね片８２を介して接続されて導通する。これによりレバースイッチ用端子４５，４６からグランド端子４１に通電し、スイッチＯＮの信号が出力され、ディスクトレイ２が閉じたことを検知する。他方、イジェクトボタン４が押されてディスクトレイ２が開くと、操作部８１ａが本体１から離れて押圧力が解除され、接点ばね片８２が弾力により復元する。これにより短片接点部８２ｂが個別電極３９から離れ、レバースイッチ用端子４５，４６とグランド端子４１との間の通電が遮断され、ディスクトレイ２が開いたことを検知する。
【００３０】
このように、本実施形態のディスクトレイ用スイッチＳＷ２では、トレイ開閉検知用のスイッチを、電子部品用の回路基板でなく、機械部品用の基板１０に一体化してディスクトレイ２のトレイ前面２ａに設置する構造を採用した。したがって、このスイッチを利用すれば、従来と同じサイズの回路基板上に電子回路を配置するスペースを広く確保することができる。また、スイッチの設置面による制約を受けることなく、電子回路のレイアウトの自由度を向上させることができる。
【００３１】
本実施形態では、チップＬＥＤ６０を基板１０の略中央に配置し、プッシュスイッチ２０を基板１０の右側に配置したが、部品の配置関係はこれに限られず、フロントベゼル３のレイアウトに合わせて適宜変更することもできる。例えば図１０に示すように、プッシュスイッチ２０を基板１０の中央に配置し、チップＬＥＤ６０を基板１０の左側に配置しても良い。この場合、各部品の位置に対応させて接点パターン３０の形状を変更し、図のようにグランド電極３１，３２とダイヤフラム電極３３が基板１０の中央に配置され、ＬＥＤ電極３６，３７が基板１０の左側に配置されるようにする。また、レバースイッチ８０に対応して、共通電極３８と個別電極３９が基板１０の右側に配置される。なお、本実施形態では、動作保証の観点から２連式のレバースイッチ８０を採用したが、トレイ開閉検知用のスイッチはその他の方式のスイッチでも良く、スイッチの個数も２個でなく１個でも構わない。
【符号の説明】
【００３２】
Ｄ…光ディスクドライブ装置
１…本体
２…ディスクトレイ
３…フロントベゼル
４…イジェクトボタン
５…ＬＥＤ表示窓
６…イジェクト孔
７…嵌合溝
８…ターンテーブル
９…光ピックアップ
ＳＷ１，ＳＷ２…ディスクトレイ用スイッチ
１０…基板
１１…凹部
１２…ベース
２０…プッシュスイッチ
２１…ダイヤフラム
２１ａ…可動接点部
２１ｂ…固定接点部
２２…フィルム
２３…カバー
３０…接点パターン
３１…グランド電極
３２…グランド電極
３３…ダイヤフラム電極
３４…ソレノイド電極
３５…ソレノイド電極
３６…ＬＥＤ電極
３７…ＬＥＤ電極
３８…共通電極
３９…個別電極
４０…端子群
４１…グランド端子
４２…ダイヤフラム用端子
４３…ソレノイド用端子
４４…ＬＥＤ用端子
４５…レバースイッチ用端子
４６…レバースイッチ用端子
５０…ソレノイド
６０…チップＬＥＤ
７０…コネクタ
７１…コネクタカバー
７２…挿入口
８０…レバースイッチ
８１…レバー
８１ａ…操作部
８１ｂ…ホルダ部
８１ｃ…軸部
８２…接点ばね片
８２ａ…長片接点部
８２ｂ…短片接点部
【図１】
2012146372.tif 000003
【図２】
2012146372.tif 000004
【図３】
2012146372.tif 000005
【図４】
2012146372.tif 000006
【図５】
2012146372.tif 000007
【図６】
2012146372.tif 000008
【図７】
2012146372.tif 000009
【図８】
2012146372.tif 000010
【図９】
2012146372.tif 000011
【図１０】
2012146372.tif 000012